(57)【要約】【課題】雨水等が室内側にしぶかず、枠体の接合部分の水密性を向上させることができる戸当り、およびこの戸当りを備えた窓を提供すること。【解決手段】下枠２および縦枠３の交差位置に障子７および縦枠３の衝突を防止する戸当り１０を設置し、この戸当り１０の室外側側面上部に水返し部１５を設けたので、室外側から吹きつけた風雨が側面に沿って上昇してきても、その上昇が水返し部１５で阻まれて、雨水等が室内側にしぶくことを防止できる。さらに、戸当り１０に設けた切欠き部１６が、縦枠３に設けた突片３Ｂの室内側面および先端面に密接し、かつ縦枠３と下枠２との交差部分であるメタルタッチ部分を覆うので、このメタルタッチ部分からの雨水等の室内側への浸入を防止して、水密性を向上させることができる。【選択図】  図１
2004300761.tif 000002
【特許請求の範囲】
【請求項１】
上枠、下枠、および左右の縦枠を四周枠組みして形成された枠体の下枠および縦枠の交差位置に設置され、前記枠体の内側に開閉自在に支持された障子と前記縦枠との衝突を防止する戸当りであって、
見付け方向に沿って前記下枠に立設された突出片と嵌合する嵌合溝と、室外側の側面上部から室外側に向かって突出した水返し部と、室外側の側面の前記縦枠側に設けられる切欠き部とを備え、
前記切欠き部が、前記縦枠の側面から見付け方向内側に突出した突片の室内側面および先端面に密接し、かつ、前記突片の室内側面および先端面と前記下枠の上面との交差部分を覆って設置可能に構成された戸当り。
【請求項２】
上枠、下枠、および左右の縦枠を四周枠組みして形成された枠体と、この枠体の内側に開閉自在に支持された障子とを備え、前記下枠および縦枠の交差位置に前記障子および縦枠の衝突を防止する戸当りが設置された窓であって、
前記戸当りは、見付け方向に沿って前記下枠に立設された突出片と嵌合する嵌合溝と、室外側の側面上部から室外側に向かって突出した水返し部と、室外側の側面の前記縦枠側に設けられる切欠き部とを備え、
前記縦枠の側面には、見付け方向内側に突出した突片が形成されており、この突片の室内側面および先端面に前記戸当りの切欠き部が密接され、かつ、前記突片の室内側面および先端面と前記下枠の上面との交差部分を覆って前記戸当りが設置された窓。
【請求項３】
前記戸当りは、前記水返し部の下側に下方から上方に向かって室内側に傾斜した傾斜面を備えている請求項２に記載の窓。
【請求項４】
前記縦枠の突片の室外側には、止水材が設けられており、この止水材に、前記切欠き部の側面を接触して前記戸当りが設置された請求項２または請求項３に記載の窓。
【請求項５】
前記戸当りは、前記障子が当接する側面と、室外側側面との交差部分が面取りされている請求項２ないし請求項４のいずれかに記載の窓。
【発明の詳細な説明】
【０００１】
【発明の属する技術分野】
本発明は、戸当り、およびこの戸当りを備えた窓に関する。詳しくは、窓枠に設置され、開放時における障子と縦枠との衝突を防止する戸当り、およびこの戸当りを備えた窓に関する。
【０００２】
【背景技術】
従来より、引き違い窓において、障子を開放した時に、障子が窓枠の縦枠に衝突することを防止するために、縦枠と下枠との交差位置に設置される戸当りが知られている（例えば、特許文献１、２参照）。特許文献１、２に記載された戸当りは、窓下枠の室内側レールの延長線上に設置され、２枚の障子のうちの室内側の障子に取り付けられた引戸錠（クレセント）と、縦枠との衝突を防止するものである。このような戸当りは、全体略直方体状に形成され、見付け方向の一方側側面に障子が当接するようになっており、他方側側面を縦枠の側面に当接して、下枠上に設置されている。
【０００３】
【特許文献１】
実開昭５６−１３３０８５号公報
【特許文献２】
実公昭５７−１１１１０号公報
【０００４】
【発明が解決しようとする課題】
しかしながら、特許文献１、２の戸当りでは、下枠に沿って室外側から吹きつけた風雨が、戸当りの側面に沿って上昇し、上面を越えて室内側にしぶくことがある。また、これらの戸当りでは、縦枠の見込み方向に沿った側面と、縦枠から突出した突片の室内側面とに当接しているものの、突片の先端面と下枠との交差部分が露出されているため、この交差部分、すなわち金属製の縦枠および下枠が接触するメタルタッチ部分から室内側への雨水等の浸入を防止することができない。このため、室内側への雨水等のしぶきを防止し、縦枠および下枠の交差部分からの雨水等の浸入を防止することができる戸当りが望まれていた。
【０００５】
本発明の目的は、雨水等が室内側にしぶかず、枠体の接合部分の水密性を向上させることができる戸当り、およびこの戸当りを備えた窓を提供することにある。
【０００６】
【課題を解決するための手段】
本発明の戸当りは、上枠、下枠、および左右の縦枠を四周枠組みして形成された枠体の下枠および縦枠の交差位置に設置され、前記枠体の内側に開閉自在に支持された障子と前記縦枠との衝突を防止する戸当りであって、見付け方向に沿って前記下枠に立設された突出片と嵌合する嵌合溝と、室外側の側面上部から室外側に向かって突出した水返し部と、室外側の側面の前記縦枠側に設けられる切欠き部とを備え、前記切欠き部が、前記縦枠の側面から見付け方向内側に突出した突片の室内側面および先端面に密接し、かつ、前記突片の室内側面および先端面と前記下枠の上面との交差部分を覆って設置可能に構成されたことを特徴とする。
【０００７】
このような本発明によれば、当該戸当りの室外側側面上部に水返し部を設けたので、室外側から吹きつけた風雨が側面に沿って上昇してきても、その上昇が水返し部で阻まれて、上面側に回り込むことがなく、室内側にしぶくことを防止できる。さらに、切欠き部が縦枠に設けた突片の室内側面および先端面に密接し、かつ縦枠と下枠との交差部分であるメタルタッチ部分を覆って戸当りを設置することで、このメタルタッチ部分からの雨水等の室内側への浸入を防止して、水密性を向上させることができる。この際、下枠の見付け方向に沿って立設された突出片に嵌合することで、当該戸当りの室内外方向の位置決めができ、縦枠の突片との密接状態を良好に維持して、水密性を確保できる。
【０００８】
一方、本発明の窓は、上枠、下枠、および左右の縦枠を四周枠組みして形成された枠体と、この枠体の内側に開閉自在に支持された障子とを備え、前記下枠および縦枠の交差位置に前記障子および縦枠の衝突を防止する戸当りが設置された窓であって、前記戸当りは、見付け方向に沿って前記下枠に立設された突出片と嵌合する嵌合溝と、室外側の側面上部から室外側に向かって突出した水返し部と、室外側の側面の前記縦枠側に設けられる切欠き部とを備え、前記縦枠の側面には、見付け方向内側に突出した突片が形成されており、この突片の室内側面および先端面に前記戸当りの切欠き部が密接され、かつ、前記突片の室内側面および先端面と前記下枠の上面との交差部分を覆って前記戸当りが設置されたことを特徴とする。
【０００９】
このような本発明によれば、前述と同様に、室外側から吹きつけた風雨が戸当りの水返し部で阻まれて、室内側にしぶくことを防止できるとともに、縦枠および下枠のメタルタッチ部分を戸当りで覆ったことで、室内側への雨水等の浸入を防止して、枠体の水密性を向上させることができる。
【００１０】
この際、本発明の窓では、前記戸当りは、前記水返し部の下側に下方から上方に向かって室内側に傾斜した傾斜面を備えていることを特徴とする。
このような構成では、室内側に向かって傾斜した傾斜面を設けることで、戸当りの水返し部の先端縁を底面の室外側端縁から突出させなくても、傾斜面の上部よりも室外側に突出して水返し部を形成することができ、枠体に設置した状態で水返し部が室外側に突出せず、邪魔にならないようにすることができる。
【００１１】
さらに、本発明の窓では、前記縦枠の突片の室外側には、止水材が設けられており、この止水材に、前記切欠き部の側面を接触して前記戸当りが設置されたことを特徴とする。
このような構成では、戸当りの切欠き部が縦枠の突片に密接するとともに、突片の室外側に設けられた止水材にも接触するので、縦枠および下枠のメタルタッチ部分を戸当りおよび止水材で覆うことができ、さらに水密性を向上させることができる。
【００１２】
また、本発明の窓では、前記戸当りは、前記障子が当接する側面と、室外側側面との交差部分が面取りされていることを特徴とする。
このような構成では、戸当りの障子が当接する側面、すなわち障子を案内するレール等が設けられた下枠の中央側の側面と、戸当りの室外側の側面との交差部分を面取りすることで、下枠のレール部分の掃除の際に、戸当りに引っ掛かることなくスムーズに埃等を室外側に掃き出すことができる。また、室内外から目立つ部分が面取りされていることで、戸当りの外観を良好にすることができる。
【００１３】
【発明の実施の形態】
以下、本発明の一実施形態に係る戸当りを備えた窓について、図１ないし図４に基づいて説明する。
図１は、本実施形態の戸当り１０を備えた窓としての引き違い窓１を示す横断面図である。図２および図３は、引き違い窓１の要部を示す斜視図、および縦断面図である。図４（Ａ）〜（Ｃ）は、戸当り１０を示す側面図、縦断面図、および横断面図である。なお、図４（Ａ）は、戸当り１０を示す室外側の側面図であり、図４（Ｂ），（Ｃ）は、図４（Ａ）に矢視Ｂ−Ｂ線、矢視Ｃ−Ｃ線で示す断面図である。
【００１４】
図１ないし図４において、引き違い窓１は、アルミ押出形材製の上枠（不図示）、下枠２、および左右の縦枠３を四周枠組して形成された枠体としての窓枠４と、この窓枠４の内部に開閉自在に支持された一組の障子５とを備えて構成されている。障子５は、アルミ押出形材製の上框（不図示）、下框６、および左右の縦框７を四周框組した内部に、ガラスパネル８を嵌め込んで形成されている。障子５は、見付け方向（図１中、左右方向）に沿って下枠２に立設された突出片としてのレール２Ａに案内されて、開閉移動可能に構成されている。また、下枠２は、室外側に向かって段々に下がる断面略階段状に形成されており、室外側のレール２Ａは、室内側のレール２Ａよりも低い位置に設けられている。室内側のレール２Ａで室内外に区分けされる下枠２の上面は、室外側の上面が室内側よりも低くなっている。
【００１５】
引き違い窓１を閉じた状態において、２つの障子５の縦框７のうち、一方の縦框７同士が見込み方向（室内外方向、図１中上下方向）に重なり、互いの対向面に設けられたＡＴ（Ａｉｒ  Ｔｉｇｈｔ  ）材７Ａが対向する縦框７に密接するようになっている。これらの見込み方向に重なる一方の縦框７と対向した他方の縦框７は、それぞれ縦枠３に当接するとともに、この縦框７に設けられたＡＴ材７Ｅが縦枠３の突片に密接している。さらに、図１中、右側の縦枠３の側面には、室外側の障子５の縦框７の室内側に沿って、見付け方向内側に突出した突片３Ｂが設けられている。この突片３Ｂの室外側には、縦框７の室内側側面に密接するＡＴ材３Ａが取り付けられている。また、上枠と上框との間、および下枠２と下框６との間にも、見付け方向に延びるＡＴ材２Ｂが介挿されている。このように一方の縦框７同士、および他方の縦框７、上框、下框６と窓枠４とがＡＴ材７Ａ，３Ａ，２Ｂを介して当接することで、室内空間の気密性および水密性が確保されるようになっている。
【００１６】
見込み方向に重なる縦框７同士の間には、引き違い窓１を閉じた状態で施錠するための引戸錠（クレセント）７Ｂが設けられている。この引戸錠７Ｂは、室内側の縦框７のガラスパネル８と反対側に回動可能に取り付けられた回動フック７Ｃと、室外側の縦框７に取り付けられた受けフック７Ｄとで構成され、回動フック７Ｃが受けフック７Ｄに係合することで、施錠できるようになっている。回動フック７Ｃは、室内側の障子５における見付け方向外側、すなわち、縦枠３と対向する側に取り付けられているので、障子５を開放した際に縦框７の側面よりも回動フック７Ｃが縦枠３に接近することとなる。このような回動フック７Ｃが縦枠３に衝突することを防止するために、縦框７に当接して障子５の開放移動を規制する戸当り１０が、縦枠３および下枠２の交差位置に設置されている。
【００１７】
戸当り１０は、平面略矩形状の合成樹脂製で、下枠２の段状の上面に応じた段付きの断面形状に形成され、室内側のレール２Ａに跨って下枠２の上面に載置されている。戸当り１０の見込み方向に沿った側面のうち一方側は、縦枠３の側面に当接されており、他方側の側面は、障子５の縦框７と当接する障子当接面１１になっている。戸当り１０の底面段差部分には、レール２Ａに嵌合する嵌合溝１２が見付け方向に沿って設けられている。この嵌合溝１２が嵌合するレール２Ａと、障子５を案内する部分のレール２Ａとの間には、レール２Ａよりも室内側に溜まった埃等を掃き出すための切欠きが設けられており、このレール２Ａの切欠き部分に交差して障子当接面１１が配置されている。
【００１８】
戸当り１０の障子当接面１１と室外側側面との交差部分は、図４に示すように、略４５度に面取りされた面取り部１３が形成されており、この面取り部１３は、適宜な曲面で障子当接面１１および室外側側面に連続している。戸当り１０の室外側側面には、下方から上方に向かって室内側に傾斜した傾斜面１４が形成されており、この傾斜面１４の上側には、戸当り１０の上面に連続して室外側に向かって突出した水返し部１５が形成されている。このような傾斜面１４および水返し部１５を設けたことで、室外から風雨で吹きつけられた雨水等が傾斜面１４に沿って上昇しても、水返し部１５で阻まれて、雨水等が室内側にしぶかないようになっている。
【００１９】
戸当り１０の室外側側面と縦枠３に当接する側面との交差部分には、縦枠３の突片３Ｂに対応して上下に延びる切欠き部１６が形成されている。この切欠き部１６は、突片３Ｂの室内側に密接する見付け方向に沿った側面と、突片３Ｂの先端面に密接する見込み方向に沿った側面とを備えている。この切欠き部１６を設けたことで、戸当り１０は、縦枠３の見込み方向に沿った側面、突片３Ｂの室内側面、および突片３Ｂの先端面の３つの鉛直面と、これらの鉛直面に交差する下枠２の上面とに密接して設置される。従って、縦枠３および下枠２が交差して接するメタルタッチの部分を、戸当り１０で覆うことができるようになっている。また、切欠き部１６の見込み方向に沿った側面下部の室外側先端部分は、突片３Ｂに設けられたＡＴ材３Ａに接しており、縦枠３および下枠２のメタルタッチ部分が室外側に露出しないようになっている。
【００２０】
このような本実施形態によれば、以下のような効果がある。
（１）  戸当り１０の室外側側面上部に水返し部１５を設けたので、室外側から吹きつけた風雨が室内側にしぶくことを防止できる。さらに、戸当り１０に切欠き部１６を設けたので、縦枠３および下枠２が交差して接するメタルタッチの部分を覆うことができ、このメタルタッチ部分からの雨水等の室内側への浸入を防止して、水密性を向上させることができる。
【００２１】
（２）  また、戸当り１０の嵌合溝１２を下枠２のレール２Ａに嵌合させることで、戸当り１０の室内外方向の位置決めができ、切欠き部１６と縦枠３との密接状態を良好に維持して、水密性を確保できる。
【００２２】
（３）  さらに、切欠き部１６の見込み方向に沿った側面が、縦枠３の突片３Ｂに設けたＡＴ材３Ａに接触するので、縦枠３および下枠２のメタルタッチ部分が室外側に露出せず、さらに水密性を向上させることができる。
【００２３】
（４）  また、戸当り１０の室外側側面に、傾斜面１４を設けたので、水返し部１５の先端縁を底面の室外側端縁から突出させなくても、傾斜面１４の上部よりも室外側に突出して水返し部１５を形成することができ、下枠２に設置した状態で水返し部１５が室外側に突出せず、邪魔にならないようにすることができる。
【００２４】
（５）  また、戸当り１０の障子当接面１１と室外側側面との交差部分に面取り部１３を設けたので、下枠２のレール２Ａ部分の掃除の際に、戸当り１０に引っ掛かることなくスムーズに埃等を室外側に掃き出すことができる。また、室内外から目立つ部分が面取りされていることで、戸当り１０の外観を良好にすることができる。
【００２５】
なお、本発明は、前記実施形態に限定されるものではない。
例えば、前記実施形態では、戸当り１０を引き違い窓１に設置したが、これに限らず、三枚引きや四枚引きの窓等に設置してもよい。
【００２６】
また、前記実施形態では、戸当り１０の室外側側面に面取り部１３や傾斜面１４を形成したが、これらは本発明の必須要件ではなく、省略することができる。ただし、これらの面取り部１３や傾斜面１４により、前述した効果を得ることができので、形成することが望ましい。
【００２７】
また、前記実施形態では、戸当り１０の切欠き部１６が当接する縦枠３の突片３ＢにＡＴ材３Ａが設けられるものとしたが、これに限らず、障子を案内するために縦枠に形成され、ＡＴ材等が設けられていない突片に切欠き部が当接するように構成してもよい。
【００２８】
また、戸当り１０は、合成樹脂製に限らず、弾性を有する材料であればよく、ゴム等から形成してもよい。また、障子が当接する当接面や、縦枠の突片と密接する部分に適宜な弾性を有する材料を用いたものであれば、戸当り本体をアルミ等の金属製とすることも可能である。
【００２９】
【発明の効果】
以上に述べたように、本発明の戸当り、およびこの戸当りを備えた窓によれば、雨水等が室内側にしぶかず、枠体の接合部分の水密性を向上させることができるという効果がある。
【図面の簡単な説明】
【図１】本発明の一実施形態に係る戸当りを備えた引き違い窓を示す横断面図である。
【図２】前記引き違い窓の要部を示す斜視図である。
【図３】前記引き違い窓の要部を示す縦断面図である。
【図４】（Ａ）〜（Ｃ）は、前記戸当りを示す側面図、縦断面図、および横断面図である。
【符号の説明】
１…引き違い窓、２…下枠、２Ａ…突出片であるレール、３…縦枠、３Ａ…止水材であるＡＴ材、３Ｂ…突片、４…枠体である窓枠、５…障子、１０…戸当り、１２…嵌合溝、１４…傾斜面、１５…水返し部、１６…切欠き部。
【図１】
2004300761.tif 000003
【図２】
2004300761.tif 000004
【図３】
2004300761.tif 000005
【図４】
2004300761.tif 000006